(57)【特許請求の範囲】
【請求項１】
液体を吸収する吸水性を有する、天然繊維、合成繊維又はこれらの混合物からなる織布又は不織布である第１吸収層と、
前記第１吸収層に積層され、前記第１吸収層から液体を吸収すると共に吸収した液体を保持して前記第１吸収層に戻りにくくする保水性を有する高吸水性高分子材料からなる第２吸収層と、
前記第２吸収層の前記第１吸収層とは反対側に積層された防水層と、
積層された前記第１吸収層、前記第２吸収層及び前記防水層の全体を被覆し、液体不透過性の材料からなり、前記第１吸収層を覆う面及び前記防水層を覆う面の両方に液体を透過させる大きさの複数の孔が設けられた被覆層と、を備えていることを特徴とする創傷被覆材。
【請求項２】
前記防水層は、前記第２吸収層に接着されていることを特徴とする請求項１に記載の創傷被覆材。
【請求項３】
前記第１吸収層は、脱脂綿であることを特徴とする請求項１又は２に記載の創傷被覆材。
【発明の詳細な説明】
【技術分野】
【０００１】
本発明は、褥瘡等の創傷の治療に用いる創傷被覆材に関するものである。
【背景技術】
【０００２】
自宅、病院等で長期間にわたり同じ体勢で寝たきりになった患者は、仙骨部、肩甲骨部又は踵等の隆起部分がベット、布団等の寝具に接触し圧迫され続けることで、皮膚の血管が圧迫されて血流が途絶え血行不全となって、組織の壊死を起こす、いわゆる、褥瘡（床ずれ）を発症することが多い。
【０００３】
このような、褥瘡の治療には、一般的に、患部を保護すると共に余分な体液を吸収する創傷被覆材が用いられている。褥瘡治療においては、乾燥による組織の壊死を防止し、再生組織による治癒を促進するために患部を適度な湿潤状態に保つことが望ましいことが分かっている。
【０００４】
褥瘡治療用の創傷被覆材として、例えば、特許文献１には、湿潤環境を維持するようにした傷手当用品が記載されている。この傷手当用品は、熱傷、褥瘡等の傷からの体液を吸収する吸収層と、この吸収層を包んだ被覆層とを備え、吸収層にゲル物質を含ませ、体液吸収時にゲルを形成することにより、傷と傷手当用品との間で湿潤状態を保ち、治癒を促進するようにしている。
【先行技術文献】
【特許文献】
【０００５】
【特許文献１】特開２００７−１３０１３４号公報
【発明の概要】
【発明が解決しようとする課題】
【０００６】
このように、褥瘡の治療には、余分な体液を吸収しつつ、適度な湿潤環境を保つことが重要であると同時に、長期間にわたり同じ体勢で寝たきりになっている身体に加る外力による圧迫を和らげ、患部を保護することが望まれる。
【０００７】
本願発明は、上記の点に鑑みてなされたものであり、創傷の患部に対して余分な体液を吸収して適度な湿潤環境を維持すると共に、外力等による圧迫を和らげるクッション性に優れた創傷被覆材を提供することを目的とする。
【課題を解決するための手段】
【０００８】
上記の課題を解決するために、請求項１の発明に係る創傷被覆材は、液体を吸収する吸水性を有する、天然繊維、合成繊維又はこれらの混合物からなる織布又は不織布である第１吸収層と、
前記第１吸収層に積層され、前記第１吸収層から液体を吸収すると共に吸収した液体を保持して前記第１吸収層に戻りにくくする保水性を有する高吸水性高分子材料からなる第２吸収層と、
前記第２吸収層の前記第１吸収層とは反対側に積層された防水層と、
積層された前記第１吸収層、前記第２吸収層及び前記防水層の全体を被覆し、液体不透過性の材料からなり、前記第１吸収層を覆う面及び前記防水層を覆う面の両方に液体を透過させる大きさの複数の孔が設けられた被覆層と、を備えていることを特徴とする。
請求項２に係る創傷被覆材は、上記請求項１の構成において、前記防水層は、前記第２吸収層に接着されていることを特徴とする。
請求項３に係る創傷被覆材は、上記請求項１又は２の構成において、前記第１吸収層は、脱脂綿であることを特徴とする。
【発明の効果】
【０００９】
本発明によれば、創傷の患部に対して余分な体液を吸収して適度な湿潤環境を維持すると共に、外力等による圧迫を和らげるクッション性に優れた創傷被覆材を提供することができる。
【図面の簡単な説明】
【００１０】
【図１】本発明の実施形態に係る創傷被覆材の概略斜視図である。
【図２】図１に示す創傷被覆材のＡ−Ａに沿った断面図である。
【発明を実施するための形態】
【００１１】
以下、本発明の実施形態に係る創傷被覆材を図１及び図２に基づいて詳細に説明する。
本発明の創傷被覆材１は、褥瘡等の創傷の患部を覆うように貼り付けて、創傷患部から滲み出る余分な体液を吸収しつつ、適度な湿潤環境を維持して、創傷治療を行うものであるが、以下、一例として、褥瘡の治療を行う場合について説明する。
図１及び図２に示すように、創傷被覆材１は、第１吸収層３と、この第１吸収層３の上に積層された第２吸収層５と、この第２吸収層５の上に積層された防水層７と、第１吸収層３、第２吸収層５及び防水層７を包む被覆材９とを備える。
【００１２】
第１吸収層３は、平面視略正方形の吸収性を有するシート状部材であり、被覆層９の複数の孔１１（後述）を介して褥瘡患部から滲み出る体液を吸収するものである。更に、第１吸収層３は、長期間にわたり同じ体勢で寝たきりになっている身体に加わる外力による圧迫を和らげるためにクッション材としての機能も有するものである。このため、本実施形態では、第１吸収層３の材料として、適度の吸水性及びクッション性を有する脱脂綿を採用している。また、適度な吸収性及びクッション性が得られるものであれば脱脂綿に限らず、例えば、織布、不織布等からなるものでもよく、その材質は、天然繊維、合成繊維あるいはこれらの混合物でもよい。
【００１３】
第２吸収層５は、第１吸収層３と同様の平面視略正方形の吸水性を有するシート状部材であり、第１吸水層３の上に積層される。第２吸収層５は、更に、吸収した液体を保持して、第１吸収層３に戻りにくくする保水性を有する。具体的には、第２吸収層５は、体液を吸収した第１吸収層３が飽和状態又はこれに近い状態になったとき、第１吸収層から余分な体液を吸収して保持することにより、褥瘡患部を適度な湿潤環境に維持するためのものである。この第２吸収層５の材料としては、吸収性及び保水性を有する、例えば、ポリアクリル酸塩系、ポリスルホン酸塩系等の高吸水性高分子材料を採用することができる。
【００１４】
防水層７は、平面視略正方形のフィルム状部材であり、第２吸収層５の上に積層され、褥瘡患部から滲み出る体液及び第１、第２吸収層３，５が吸収した体液が外部に漏れないようにするものである。また、防水層７は、第２吸収層５に接着されている。これにより、防水層７は、第２吸収層５が第１吸収層から余分な体液を吸収したとき、第２吸収層５の型くずれ、よれ及びしわを防ぐことができる。防水層７の材料としては、例えば、ポリエチレン、ポリプロピレン等の防水性の材料を採用することができる。
【００１５】
被覆材９は、第１吸収層３、第２吸収層５及び防水層７を包む薄いシート状部材であり、両面に多数の孔１１が設けられている。そして、褥瘡患部から滲み出る体液をこの孔１１（開口部）を通して、第１吸収層３で吸収する。また、孔１１により、被覆材９に適度な通気性を与えている。被覆材９は、折り曲げた１枚のシートの間に第１吸収層３、第２吸収層５及び防水層７を挟み込み、その周縁部の３ヵ所をヒートシールによって接合して、熱融着部１３を形成することにより、第１吸収層３、第２吸収層５及び防水層７を包み込んでいる。また、被覆材９の材料としては、褥瘡患部にはり付きにくい液体不透過性材料が好ましく、例えば、ポリ塩化ビニル、ポリエチレン、ポリプロピレン、ポリエステル、ナイロン等を採用することができる。
【００１６】
以上のように構成された創傷被覆材１の作用について、次に説明する。
創傷被覆材１は、被覆材９の接触面９ａ（第１吸収層３側の面）を患者の褥瘡患部に対向させ、褥瘡患部を覆うように配置され、ビニールテープ、不織布テープ等のテープ又は包帯等を使用して、固定される。
【００１７】
創傷被覆材１は、被覆層９の孔１１を通して第１吸収層３によって褥瘡患部から滲み出る体液を吸収し、第１吸収層３が飽和状態又は飽和状態に近くなったとき、第２吸収層５が第１吸収層３から余分な体液を吸収して保持する。これにより、褥瘡患部を適度な湿潤環境で維持することができる。このとき、防水層７により、体液が外部に漏れるのを防止しつつ、被覆材９の接触面９ａの反対側の面９ｂ側に設けられた多数の孔１１により、適度な通気を行うことができる。また、クッション性を有した第１吸収層３によって、身体に加わった外力による圧迫を和らげることができる。更に、創傷被覆材１は、第１吸収層３が被覆材９で覆われているので褥瘡患部にはり付きにくい。
【００１８】
なお、上記実施形態において、被覆材９の孔１１は、吸収性及び通気性を考慮して、褥瘡患部の適度な湿潤環境を保持できるように、孔径、数、配列パターンを適宜設定することができる。このとき、接触面９ａと面９ｂとで異なる孔径、数、配列パターンを採用してもよい。また、被覆材９の孔１１は、褥瘡患部に対向する被覆材９の接触面９ａ側にのみに設けるようにしてもよい。更に、被覆材９は、孔１１を設ける代わりに、メッシュ状に形成してもよい。
【００１９】
更に、被覆材９は、１枚のシート部材を用いて、第１吸収層３、第２吸収層５及び防水層７を包み、周縁部の３ヵ所をヒートシールした熱融着部１３によって接合されているが、２枚のシート部材を用いて、その間に第１吸収層３、第２吸収層５及び防水層７を挟み、周縁部の４ヵ所をヒートシールにより接合するようにしてもよい。この場合、２枚のシート部材は、それぞれが異なるものでもよく、例えば、被覆層９の面９ｂ側は、通気性を有するシート材で形成してもよい。この他、被覆材９は、１枚のシートの両端の背面でシールして筒状にし、その筒状のシートの両端をシールする背貼り方法（合掌貼り）を用いて接合してもよく、更に、他の公知の接合方法を用いて、第１吸収層３、第２吸収層５及び防水層７を被覆するようにしてもよい。また、被覆材９は、ヒートシールに限らず、接着等の他の公知の接合手段を用いて接合してもよい。
【００２０】
上記実施形態において、防水層７は、第２吸収層５に接着されているが、第２吸収層５に接着させないで第２吸収層５上に配置させてもよい。
【００２１】
上記実施形態において、創傷被覆材１は、第１吸収層３、第２吸収層５、防水層７及び被覆層９のそれぞれの間に適宜消臭、抗菌等の機能を有した層を設けてもよい。
【００２２】
なお、上記実施形態においては、創傷被覆材１を褥瘡治療に用いる場合について説明しているが、創傷被覆材１は、切傷、熱傷及び擦過傷等の他の創傷の治療にも用いることができる。
【００２３】
上記実施形態において、創傷被覆材１は、平面視略正方形状であるが、三角形、長方形、円形等の他の適当な形状にしてもよい。
【符号の説明】
【００２４】
１…褥瘡用創傷被覆材、３…第１吸収層、５…第２吸収層、７…防水層、９…被覆材、１１…孔（開口部）
【要約】
【課題】湿潤環境を維持すると共に、クッション性を有した創傷被覆材を提供する。
【解決手段】創傷被覆材１は、吸水性を有する第１吸収層３と、吸収性及び保水性を有する第２吸収層５と、外部への液体の漏れを防止する防水層７と、第１吸収層３、第２吸収層５及び防水層７を包む複数の孔１１を有する被覆材９とを備える。これにより、被覆層９の孔１１を通して第１吸収層３によって褥瘡患部から滲み出る体液を吸収し、第１吸収層３が飽和状態又は飽和状態に近くなったとき、第２吸収層５が第１吸収層３から余分の体液を吸収して保持することにより、褥瘡患部を適度な湿潤環境で維持することができる。また、クッション性を有した第１吸収層３によって、身体に加わった外力による圧迫を和らげることができる。
【選択図】図２【図１】
0005832677.tif 000002
【図２】
0005832677.tif 000003